【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
第１のナローバンド領域のリソース上で基地局から制御信号を受信することと、
前記制御信号に少なくとも部分的に基づいて第２のナローバンド領域を識別することと、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信することと
を備える、方法。
【請求項２】
前記制御信号中の明示的指示から前記第２のナローバンド領域を決定すること
をさらに備える、請求項１に記載の方法。
【請求項３】
前記制御信号に基づいてナローバンド領域の利用可能な構成のセットを決定することと、
利用可能な構成の前記セットに基づいて前記第２のナローバンド領域を選択することと  をさらに備える、請求項１に記載の方法。
【請求項４】
前記ＵＥにアプリオリに知られている構成に従って前記第２のナローバンド領域を決定すること
をさらに備える、請求項１に記載の方法。
【請求項５】
前記第２のナローバンド領域にリンクされた第３のナローバンド領域を識別することと、
前記第３のナローバンド領域のリソース上で前記基地局からＲＡＣＨ応答メッセージを受信することと
をさらに備える、請求項１に記載の方法。
【請求項６】
前記送信することが、
前記第２のナローバンド領域のリソース上で接続要求を送信すること
を備える、請求項１に記載の方法。
【請求項７】
前記第２のナローバンド領域にリンクされた第３のナローバンド領域を識別することと、
前記第３のナローバンド領域のリソース上で接続セットアップメッセージを受信することと
をさらに備える、請求項６に記載の方法。
【請求項８】
前記制御信号が、同期信号、物理ブロードキャストチャネル（ＰＢＣＨ）送信、ページングメッセージ、物理ダウンリンク制御チャネル（ＰＤＣＣＨ）、またはシステム情報ブロック（ＳＩＢ）、またはこれらの任意の組合せ、のうちの少なくとも１つを備える、請求項１に記載の方法。
【請求項９】
前記制御信号がページングメッセージを備える、請求項１に記載の方法。
【請求項１０】
第３のナローバンド領域のリソース上でページングメッセージを受信することをさらに備え、ここにおいて、前記制御信号が、同期信号、物理ブロードキャストチャネル（ＰＢＣＨ）送信、または物理ダウンリンク制御チャネル（ＰＤＣＣＨ）、またはシステム情報ブロック（ＳＩＢ）、またはこれらの任意の組合せ、のうちの少なくとも１つを備える、請求項１に記載の方法。
【請求項１１】
前記ＵＥのグループ識別情報に基づいて前記第３のナローバンド領域を識別すること
をさらに備える、請求項１０に記載の方法。
【請求項１２】
前記制御信号に基づいて前記第３のナローバンド領域を識別すること
をさらに備える、請求項１０に記載の方法。
【請求項１３】
前記ＵＥにアプリオリに知られている構成に基づいて前記第３のナローバンド領域を識別すること
をさらに備える、請求項１０に記載の方法。
【請求項１４】
ユーザ機器（ＵＥ）におけるワイヤレス通信のための装置であって、
プロセッサと、
前記プロセッサと電子通信しているメモリと、
前記メモリに記憶された命令と
を備え、ここにおいて、前記命令が、前記装置に、
第１のナローバンド領域のリソース上で基地局から制御信号を受信することと、
前記制御信号に少なくとも部分的に基づいて第２のナローバンド領域を識別することと、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信することと
を行わせるように前記プロセッサによって実行可能である、装置。
【請求項１５】
前記命令が、前記装置に、
前記制御信号中の明示的指示から前記第２のナローバンド領域を決定すること
を行わせるように前記プロセッサによって実行可能である、請求項１４に記載の装置。
【請求項１６】
前記命令が、前記装置に、
前記制御信号に基づいてナローバンド領域の利用可能な構成のセットを決定することと、
利用可能な構成の前記セットに基づいて前記第２のナローバンド領域を選択することと
を行わせるように前記プロセッサによって実行可能である、請求項１４に記載の装置。
【請求項１７】
前記命令が、前記装置に、
前記ＵＥにアプリオリに知られている構成に従って前記第２のナローバンド領域を決定すること
を行わせるように前記プロセッサによって実行可能である、請求項１４に記載の装置。
【請求項１８】
前記命令が、前記装置に、
前記第２のナローバンド領域にリンクされた第３のナローバンド領域を識別することと、
前記第３のナローバンド領域のリソース上で前記基地局からＲＡＣＨ応答メッセージを受信することと
を行わせるように前記プロセッサによって実行可能である、請求項１４に記載の装置。
【請求項１９】
前記命令が、前記装置に、
前記第２のナローバンド領域のリソース上で接続要求を送信すること
を行わせるように前記プロセッサによって実行可能である、請求項１４に記載の装置。
【請求項２０】
前記命令が、前記装置に、
前記第２のナローバンド領域にリンクされた第３のナローバンド領域を識別することと、
前記第３のナローバンド領域のリソース上で接続セットアップメッセージを受信することと
を行わせるように前記プロセッサによって実行可能である、請求項１９に記載の装置。
【請求項２１】
前記制御信号が、同期信号、物理ブロードキャストチャネル（ＰＢＣＨ）送信、ページングメッセージ、物理ダウンリンク制御チャネル（ＰＤＣＣＨ）、またはシステム情報ブロック（ＳＩＢ）、またはこれらの任意の組合せを備える、請求項１４に記載の装置。
【請求項２２】
前記制御信号がページングメッセージを備える、
請求項１４に記載の装置。
【請求項２３】
前記命令が、前記装置に、
第３のナローバンド領域のリソース上でページングメッセージを受信すること
を行わせるように前記プロセッサによって実行可能であり、ここにおいて、前記制御信号が、同期信号、物理ブロードキャストチャネル（ＰＢＣＨ）送信、物理ダウンリンク制御チャネル（ＰＤＣＣＨ）、またはシステム情報ブロック（ＳＩＢ）、またはこれらの任意の組合せを備える、請求項１４に記載の装置。
【請求項２４】
前記命令が、前記装置に、
前記ＵＥのグループ識別情報に基づいて前記第３のナローバンド領域を識別すること
を行わせるように前記プロセッサによって実行可能である、請求項２３に記載の装置。
【請求項２５】
前記命令が、前記装置に、
前記制御信号に基づいて前記第３のナローバンド領域を識別すること
を行わせるように前記プロセッサによって実行可能である、請求項２３に記載の装置。
【請求項２６】
前記命令が、前記装置に、
前記ＵＥにアプリオリに知られている構成に基づいて前記第３のナローバンド領域を識別すること
を行わせるように前記プロセッサによって実行可能である、請求項２３に記載の装置。
【請求項２７】
ユーザ機器（ＵＥ）におけるワイヤレス通信のための装置であって、
第１のナローバンド領域のリソース上で基地局から制御信号を受信するための手段と、  前記制御信号に少なくとも部分的に基づいて第２のナローバンド領域を識別するための手段と、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信するための手段と
を備える、装置。
【請求項２８】
ユーザ機器（ＵＥ）におけるワイヤレス通信のためのコードを記憶する非一時的コンピュータ可読媒体であって、前記コードが、
第１のナローバンド領域のリソース上で基地局から制御信号を受信することと、
前記制御信号に少なくとも部分的に基づいて第２のナローバンド領域を識別することと、ここにおいて、前記第１のナローバンド領域が前記第２のナローバンド領域とは異なる、
前記第２のナローバンド領域のリソース上で前記基地局にランダムアクセスチャネル（ＲＡＣＨ）プリアンブルを送信することと
を行うようにプロセッサによって実行可能な命令を備える、非一時的コンピュータ可読媒体。
【手続補正２】
【補正対象書類名】明細書
【補正対象項目名】０１７９
【補正方法】変更
【補正の内容】
【０１７９】
[0199]本明細書で説明した技法は、符号分割多元接続（ＣＤＭＡ）、時分割多元接続（ＴＤＭＡ）、周波数分割多元接続（ＦＤＭＡ）、ＯＦＤＭＡ、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願の出願当初の特許請求の範囲に記載された発明を付記する。
［Ｃ１］
ユーザ機器（ＵＥ）におけるワイヤレス通信の方法であって、
第１のナローバンド領域のリソース上で基地局から制御信号を受信することと、
前記制御信号に少なくとも部分的に基づいて第２のナローバンド領域を識別することと、
前記第２のナローバンド領域のリソース上で前記基地局と通信することと
を備える、方法。
［Ｃ２］
前記制御信号中の明示的指示から前記第２のナローバンド領域を決定すること
をさらに備える、Ｃ１に記載の方法。
［Ｃ３］
前記制御信号に基づいてナローバンド領域の利用可能な構成のセットを決定することと、
利用可能な構成の前記セットに基づいて前記第２のナローバンド領域を選択することとをさらに備える、Ｃ１に記載の方法。
［Ｃ４］
前記ＵＥにアプリオリに知られている構成に従って前記第２のナローバンド領域を決定すること
をさらに備える、Ｃ１に記載の方法。
［Ｃ５］
通信することが、
ランダムアクセスチャネル（ＲＡＣＨ）プリアンブルを送信すること
を備える、Ｃ１に記載の方法。
［Ｃ６］
前記第２のナローバンド領域にリンクされた第３のナローバンド領域を識別することと、
前記第３のナローバンド領域のリソース上で前記基地局からＲＡＣＨ応答メッセージを受信することと
をさらに備える、Ｃ５に記載の方法。
［Ｃ７］
通信することが、
前記第２のナローバンド領域のリソース上で接続要求を送信すること
を備える、Ｃ１に記載の方法。
［Ｃ８］
前記第２のナローバンド領域にリンクされた第３のナローバンド領域を識別することと、
前記第３のナローバンド領域のリソース上で接続セットアップメッセージを受信することと
をさらに備える、Ｃ７に記載の方法。
［Ｃ９］
前記制御信号が、同期信号、物理ブロードキャストチャネル（ＰＢＣＨ）送信、ページングメッセージ、またはシステム情報ブロック（ＳＩＢ）を備える、Ｃ１に記載の方法。
［Ｃ１０］
前記制御信号がページングメッセージを備え、
前記通信することが、前記第２のナローバンド領域の前記リソース上でランダムアクセスチャネル（ＲＡＣＨ）プリアンブルを送信することを備える、
Ｃ１に記載の方法。
［Ｃ１１］
第３のナローバンド領域のリソース上でページングメッセージを受信することをさらに備え、ここにおいて、前記制御信号が、同期信号、物理ブロードキャストチャネル（ＰＢＣＨ）送信、またはＳＩＢを備え、
ここにおいて、前記通信することが、ＲＡＣＨプリアンブルを送信することを備える、Ｃ１に記載の方法。
［Ｃ１２］
前記ＵＥのグループ識別情報に基づいて前記第３のナローバンド領域を識別することをさらに備える、Ｃ１１に記載の方法。
［Ｃ１３］
前記制御信号に基づいて前記第３のナローバンド領域を識別すること
をさらに備える、Ｃ１１に記載の方法。
［Ｃ１４］
前記ＵＥにアプリオリに知られている構成に基づいて前記第３のナローバンド領域を識別すること
をさらに備える、Ｃ１１に記載の方法。
［Ｃ１５］
ユーザ機器（ＵＥ）におけるワイヤレス通信のための装置であって、
第１のナローバンド領域のリソース上で基地局から制御信号を受信するための手段と、  前記制御信号に少なくとも部分的に基づいて第２のナローバンド領域を識別するための手段と、
前記第２のナローバンド領域のリソース上で前記基地局と通信するための手段と
を備える、装置。
［Ｃ１６］
前記制御信号中の明示的指示から前記第２のナローバンド領域を決定するための手段をさらに備える、Ｃ１５に記載の装置。
［Ｃ１７］
前記制御信号に基づいてナローバンド領域の利用可能な構成のセットを決定するための手段と、
利用可能な構成の前記セットに基づいて前記第２のナローバンド領域を選択するための手段と
をさらに備える、Ｃ１５に記載の装置。
［Ｃ１８］
前記ＵＥにアプリオリに知られている構成に従って前記第２のナローバンド領域を決定するための手段
をさらに備える、Ｃ１５に記載の装置。
［Ｃ１９］
通信することが、
ランダムアクセスチャネル（ＲＡＣＨ）プリアンブルを送信すること
を備える、Ｃ１５に記載の装置。
［Ｃ２０］
前記第２のナローバンド領域にリンクされた第３のナローバンド領域を識別するための手段と、
前記第３のナローバンド領域のリソース上で前記基地局からＲＡＣＨ応答メッセージを受信するための手段と
をさらに備える、Ｃ１９に記載の装置。
［Ｃ２１］
通信することが、
前記第２のナローバンド領域のリソース上で接続要求を送信すること
を備える、Ｃ１５に記載の装置。
［Ｃ２２］
前記第２のナローバンド領域にリンクされた第３のナローバンド領域を識別するための手段と、
前記第３のナローバンド領域のリソース上で接続セットアップメッセージを受信するための手段と
をさらに備える、Ｃ２１に記載の装置。
［Ｃ２３］
前記制御信号が、同期信号、物理ブロードキャストチャネル（ＰＢＣＨ）送信、ページングメッセージ、またはシステム情報ブロック（ＳＩＢ）を備える、Ｃ１５に記載の装置。
［Ｃ２４］
前記制御信号がページングメッセージを備え、
前記通信することが、前記第２のナローバンド領域の前記リソース上でランダムアクセスチャネル（ＲＡＣＨ）プリアンブルを送信することを備える、
Ｃ１５に記載の装置。
［Ｃ２５］
第３のナローバンド領域のリソース上でページングメッセージを受信するための手段をさらに備え、ここにおいて、前記制御信号が、同期信号、物理ブロードキャストチャネル（ＰＢＣＨ）送信、またはＳＩＢを備え、
ここにおいて、前記通信することが、ランダムアクセスチャネル（ＲＡＣＨ）プリアンブルを送信することを備える、
Ｃ１５に記載の装置。
［Ｃ２６］
前記ＵＥのグループ識別情報に基づいて前記第３のナローバンド領域を識別するための手段
をさらに備える、Ｃ２５に記載の装置。
［Ｃ２７］
前記制御信号に基づいて前記第３のナローバンド領域を識別するための手段
をさらに備える、Ｃ２５に記載の装置。
［Ｃ２８］
前記ＵＥにアプリオリに知られている構成に基づいて前記第３のナローバンド領域を識別するための手段
をさらに備える、Ｃ２５に記載の装置。
［Ｃ２９］
ユーザ機器（ＵＥ）におけるワイヤレス通信のための装置であって、
プロセッサと、
前記プロセッサと電子通信しているメモリと、
前記メモリに記憶された命令と
を備え、ここにおいて、前記命令が、
第１のナローバンド領域のリソース上で基地局から制御信号を受信することと、
前記制御信号に少なくとも部分的に基づいて第２のナローバンド領域を識別することと、
前記第２のナローバンド領域のリソース上で前記基地局と通信することと
を行うために前記プロセッサによって実行可能である、装置。
［Ｃ３０］
ユーザ機器（ＵＥ）におけるワイヤレス通信のためのコードを記憶する非一時的コンピュータ可読媒体であって、前記コードが、
第１のナローバンド領域のリソース上で基地局から制御信号を受信することと、
前記制御信号に少なくとも部分的に基づいて第２のナローバンド領域を識別することと、
前記第２のナローバンド領域のリソース上で前記基地局と通信することと
を行うためにプロセッサによって実行可能な命令を備える、非一時的コンピュータ可読媒体。